Podtech/llm-jp-corpus-v4-ja_patent huggingface dataset:
(57)【要約】      （修正有）【課題】必要な場合に見つけ易い携帯灰皿を提供する。【解決手段】方形袋状の灰皿本体２と、灰皿本体２の裏面に装着されたクリップ３と、灰皿本体２の下部に設けられたライター収納部４とを有している。灰皿本体２は開口側に蓋部５を備え、柔軟性有るプラスチック部材により形成されている。また、灰皿本体２の内面と蓋部５の裏面には難燃性部材（図示せず）が被着されている。蓋部５はスナップボタン６により灰皿本体２に閉じた状態で保持したり、蓋部５を開いて灰皿として使用したりできるようになっている。ライター収納部４は市販のライター７を横向きにして開口８から出し入れ自在なポケット状に形成されている。【選択図】図２
0003197268.tif 000002
【実用新案登録請求の範囲】
【請求項１】
携帯用の灰皿本体にポケットに留めるクリップを装着したこと、
を特徴とする携帯灰皿。
【請求項２】
携帯用の灰皿本体にライター収納部を付設したこと、
を特徴とする請求項１記載の携帯灰皿。
【考案の詳細な説明】
【技術分野】
【０００１】
本考案は携帯灰皿に係り、とくに必要な場合に見つけ易くした携帯灰皿に関する。
【背景技術】
【０００２】
近年、健康志向の高まりから駅、公共施設、道路、公園、飲食店などの禁煙化が進んでいる。喫煙可能な場所でも共用灰皿が撤去されており、愛煙家はタバコを吸うのに不自由するのが実情である。解決策として携帯灰皿を持ち歩くようにしているが、ポケットに入れたか、カバンに入れたか忘れることが多く、必要なときにあちこち探さなければならない不便があった。
【先行技術文献】
【特許文献】
【０００３】
【特許文献１】実用新案登録第３０３８４３１号公報
【考案の概要】
【考案が解決しようとする課題】
【０００４】
本考案は上記した従来技術の問題に鑑みなされたもので、必要な場合に見つけ易い携帯灰皿を提供することを、その目的とする。
【課題を解決するための手段】
【０００５】
請求項１記載の考案では、携帯用の灰皿本体にポケットに留めるクリップを装着したこと、を特徴としている。
請求項２記載の考案では、携帯用の灰皿本体にライター収納部を付設したこと、を特徴としている。
【考案の効果】
【０００６】
本考案によれば、クリップにより、上着の胸ポケット、内ポケットなどに携帯灰皿を保持でき、必要なときにすぐに見つけることができる。
また、ライターを収納可能なので、ライターを別に持ち運ぶ煩わしさがない。
【図面の簡単な説明】
【０００７】
【図１】本考案の一実施例に係る携帯灰皿の正面図である（実施例１）。
【図２】図１の携帯灰皿の側面図である。
【考案を実施するための最良の形態】
【０００８】
以下、本考案の最良の形態を実施例に基づき説明する。
【実施例１】
【０００９】
図１と図２を参照して本考案の一実施例を説明する。図１は本考案に係る携帯灰皿の正面図、図２は携帯灰皿の側面図である。
これらの図において、１は携帯灰皿であり、携帯用の方形袋状の灰皿本体２と、灰皿本体２の裏面に装着されたクリップ３と、灰皿本体２の下部に設けられたライター収納部４とを有している。灰皿本体２は開口側に蓋部５を備え、柔軟性有るプラスチック部材により形成されている。また、灰皿本体２の内面と蓋部５の裏面には難燃性部材（図示せず）が被着されている。蓋部５はスナップボタン６により灰皿本体２に閉じた状態で保持したり、蓋部５を開いて灰皿として使用したりできるようになっている。ライター収納部４は市販のライター７を横向きにして開口８から出し入れ自在なポケット状に形成されている。
【００１０】
この実施例によれば、携帯灰皿１を上着の胸ポケットや内ポケットに入れてクリップ３により胸ポケットや内ポケットの上縁に留めて挟持させることにより、決まった場所に安定して携帯することができ、必要なときにすぐに見つけることができる。
また、ライター収納部４にライター７を出し入れ自在に収納可能なので、ライター７を別に持ち運ぶ煩わしさがない。
【００１１】
なお、上記した実施例では、灰皿本体にライター収納部を付加した構成としたが、ライター収納部を省略しても良い。
【産業上の利用可能性】
【００１２】
本考案は、持ち運び可能な各種の携帯灰皿に適用可能である。
【符号の説明】
【００１３】
１  携帯灰皿
２  灰皿本体
３  クリップ
４  ライター収納部
７  ライター
【図１】
0003197268.tif 000003
【図２】
0003197268.tif 000004
(57)【要約】【課題】  タオル本体の長辺方向の一端側が、４つ折りに折り畳んだ状態で穴かがり縫いによって縫い合わされているのに対し、同他端側が、広げることができるようにする。【解決手段】  本考案に係るタオル１は、タオル生地からなる矩形状のタオル本体２の短辺側を４つ折りに折り畳んだ状態にしておき、その状態におけるタオル本体２の長辺方向の一端側２ａに対して、穴あけ及び穴かがり縫いによる穴３を形成することにより構成されている。【選択図】      図１１
0003197245.tif 000002
【実用新案登録請求の範囲】
【請求項１】
タオル生地からなる矩形状のタオル本体の短辺側を４つ折りに折り畳んだ状態にしておき、その状態におけるタオル本体の長辺方向の一端側に対して、穴あけ及び穴かがり縫いによる穴を形成することにより構成されているタオル。
【考案の詳細な説明】
【技術分野】
【０００１】
本考案は、タオルに関するものである。
【先行技術文献】
【特許文献】
【０００２】
【特許文献１】実用新案登録第３０４４１０２号公報（図６）
【特許文献２】特開２００３−４７５７１号公報（図１〜図３）
【考案の概要】
【考案が解決しようとする課題】
【０００３】
従来のタオルは、後述する本願考案の効果を奏することができなかった。
【課題を解決するための手段】
【０００４】
前記課題を解決するために、本考案のタオルは、タオル生地からなる矩形状のタオル本体の短辺側を４つ折りに折り畳んだ状態にしておき、その状態におけるタオル本体の長辺方向の一端側に対して、穴あけ及び穴かがり縫いによる穴を形成することにより構成されている。
【考案の効果】
【０００５】
本考案に係るタオルによれば、タオル本体の長辺方向の一端側が、４つ折りに折り畳んだ状態で穴かがり縫いによって縫い合わされているのに対し、同他端側が、広げることができる、という優れた効果を奏する。
【図面の簡単な説明】
【０００６】
【図１】本考案を具体化した一実施形態に係るタオルの正面図である。
【図２】同タオルの背面図である。
【図３】同タオルの平面図である。
【図４】同タオルの底面図である。
【図５】同タオルの右側面図である。
【図６】図１のＡ−Ａ拡大端面図である。
【図７】図２のＢ−Ｂ拡大端面図である。
【図８】図４のＣ−Ｃ’部分拡大図である。
【図９】同タオルの右側面拡大図である。
【図１０】同タオルの環状状態を示す図である。
【図１１】同タオルの長辺方向の他端側を展開した状態を示す図である。
【考案を実施するための形態】
【０００７】
図１〜図１１は本考案を具体化した一実施形態のタオル１を示している。なお、タオル１の左側面図は右側面図と対称にあらわれるため省略している。
【０００８】
本考案のタオル１は、タオル生地からなる矩形状のタオル本体２の短辺側を４つ折りに折り畳んだ状態にしておき、その状態におけるタオル本体２の長辺方向の一端側２ａに対して、穴あけ及び穴かがり縫いによる穴３を形成することにより構成されている。
【０００９】
このように本考案のタオル１は、タオル本体２の長辺方向の一端側２ａが、４つ折りに折り畳んだ状態で穴かがり縫いによって縫い合わされているのに対し、同他端側２ｂが、広げることができるようになっている。
【００１０】
本考案のタオル１は、穴あけ及び穴かがり縫いからなる一連の加工をまとめて行うことができるミシンを使用すれば、タオル本体２に対して１回の加工で製造することができ、低コストに製造することができる。本考案のタオル１に設けられた穴３は、４つ折りに折り畳んだ状態のタオル本体２に形成されているので、非常に堅ろうなものとなり、耐久性がよい。
【００１１】
本考案のタオル１の使用に際しては、図１０に示すように、本考案のタオル１の長辺方向の一端側２ａの穴３に、長辺方向の他端側２ｂを挿通することにより、環状状態に保持可能になっており、例えば、首に巻いたり、鉢巻にしたり、止血帯にしたりすることができる。このとき、前述したように穴が堅ろうなので、運動時や作業時でも前記環状状態が解除され難い。
【００１２】
また、この堅牢な穴３を利用して本考案のタオル１を何本もつなぎ合わせることもでき、例えば、帯やロープとして使用することもできる。
【００１３】
さらに、図１１に示すように、本考案のタオル１は、タオル本体２の長辺方向の他端側２ｂを広げることができるので、矩形状に形成されただけの普通のタオルと同様に使用することもでき、例えば、防災用のふく面にしたり、帽子にしたり、三角巾にしたりすることもできる。
【符号の説明】
【００１４】
１    タオル
２    タオル本体
２ａ  長辺方向の一端側
２ｂ  長辺方向の他端側
３    穴
【図１】
0003197245.tif 000003
【図２】
0003197245.tif 000004
【図３】
0003197245.tif 000005
【図４】
0003197245.tif 000006
【図５】
0003197245.tif 000007
【図６】
0003197245.tif 000008
【図７】
0003197245.tif 000009
【図８】
0003197245.tif 000010
【図９】
0003197245.tif 000011
【図１０】
0003197245.tif 000012
【図１１】
0003197245.tif 000013
(57)【要約】      （修正有）【課題】卓上等の平面に置くタブレット型コンピューターの画面仰角を、使用形態に応じて無段階に調整でき、折り畳めばかさばらず簡単に着脱もできる上、単純な構造で壊れにくいタブレットスタンドを提供する。【解決手段】タブレット型コンピューター４の外枠を左右から挟むコの字形の把持部１が、弾性力と摩擦により接合位置に留まり、把持部に接続する支柱部２及び底辺部３が把持部を中心に約９０度の範囲で動くよう構成した。【選択図】図７
0003197242.tif 000002
【実用新案登録請求の範囲】
【請求項１】
タブレット型コンピューターの外枠を左右から挟む把持部が弾性力と摩擦により接合位置に留まり、把持部に接続する支柱部及び底辺部で構成され、卓上等の平面に置くタブレット型コンピューターの画面仰角を無段階に調整でき、片手で折り畳みと着脱が可能なスタンド。
【考案の詳細な説明】
【技術分野】
【０００１】
本考案は、タブレット型コンピューター（以下「タブレット」という。）を、画面を斜め上に向けた状態で安定して卓上に置くためのスタンドに関するものである。
【背景技術】
【０００２】
本考案と同じ分野の物品は、タブレットスタンド（以下「スタンド」という。）の溝や斜面にタブレットを置く形式や、タブレットのケースの一部がスタンドとして利用できる形式があるが、いずれもスタンドの一部を台座としてタブレットを載せるもので、このほかにタブレットの背面に粘着層又は吸盤で固定するタブレット支持具が、実用に供されている。
【先行技術文献】
【特許文献】
【０００３】
【特許文献１】特開２０１３−１７１５６３号公報
【考案の概要】
【考案が解決しようとする課題】
【０００４】
解決しようとする課題は、単純な構造で壊れにくく、画面の仰角を無段階に調整でき、折り畳みも着脱も簡単なスタンドを提供することである。
【課題を解決するための手段】
【０００５】
本考案のスタンドは、タブレット外枠を左右から挟んで後ろ側で支える形式を特徴とする。
【考案の効果】
【０００６】
本考案のスタンドは、弾性力のある材料を用いた単純な構造であるから多少雑な扱いでも壊れにくく、使用者の姿勢と用途に合わせてタブレットとスタンドの接合位置を変えるだけで画面の仰角を無段階に調整でき、折り畳めばかさばらないので携帯や収納に便利な上、着脱も簡単という利点がある。
【図面の簡単な説明】
【０００７】
【図１】非使用時における本考案のスタンドの平面図である。
【図２】スタンドをタブレットに装着した状態（例１）の平面図である。
【図３】スタンドをタブレットに装着した状態（例１）の側面図である。
【図４】スタンドをタブレットに装着した状態（例２）の側面図である。
【図５】画面を低い仰角に向けたタブレットを支えるスタンドの側面図である。
【図６】画面を高い仰角に向けたタブレットを支えるスタンドの側面図である。
【図７】画面を低い仰角に向けたタブレットを支えるスタンドの側面上方向からの斜視図である。
【考案を実施するための形態】
【０００８】
本考案のスタンドは、前述した課題を、タブレット外枠の左右に接合する両把持部、各把持部に接続する左右の支柱部、及び両支柱部の他方の端に接続する底辺部から成る左右対称の構造で解決するものである。
【実施例】
【０００９】
本考案のスタンドは、前述した課題を、タブレット外枠の左右に接合する両把持部、各把持部に接続する左右の支柱部、及び両支柱部の他方の端に接続する底辺部から成る左右対称の構造で解決するものである。
【００１０】
スタンドの把持部は、図１で示すとおりコの字形で、図２で示すとおりタブレットに装着した状態において、コの字の３辺がそれぞれタブレットの画面側・側面・背面に接し得る位置にあり、側面に接する辺の長さはタブレットの厚さの約２倍あって、図３で示すとおり左右支柱部に対して把持部が４５度下向きに傾いているため、支柱部と底辺部は、両把持部を結ぶ線を中心に、タブレット背面に対して約９０度から図４で示すとおり０度までの範囲で回転できる。なお、把持部は、滑り止めとタブレットの傷防止のため、先端の角を落とした上シリコンゴムのチューブを被せた。
【００１１】
支柱部については、長さをタブレットの高さの約４割とすることで、図５及び図７で示すとおりタブレット側面の低い位置に接合させて画面が真横に近い向きでも底辺部がタブレット重心の垂下点より相当後方に位置するので安定し易い一方、図６で示すとおり高い位置に把持部を接合させて卓上に置けば画面を仰角６０度以上に向け得る。
【００１２】
底辺部の長さは、左右把持部のタブレット背面に接する辺の長さをタブレットの幅から差し引いた値でよいが、後述する弾性力に伴う負荷を分散し画面操作時の安定性を高めるには、タブレット幅の８割以上が適当である。なお、底辺部と支柱部の境の角度は約６０度である。
【００１３】
タブレットに装着しない状態でスタンドの底辺部は図１で示すとおり直線であるが、利用者が手で左右把持部の間隔を広げて間にタブレットを挟むことにより、図２で示すとおり湾曲した底辺部の弾性力が、左右の支柱部を経由して両把持部に作用し、安定した装着状態が形成される。
【００１４】
装着状態で、画面を斜め上向きにしてタブレットを卓上に置くと、タブレット外枠の下端並びにスタンドの底辺部両端が接地し、タブレットの自重により、図５及び図６で示すとおりスタンド底辺部と左右支柱部がタブレット背面に対して約９０度の角度で留まり、安定した使用状態となる。
【００１５】
把持部を上下にスライドさせると、使用状態における画面の仰角を簡単かつ無断階に調整でき、画面の仰角が大きい状態は画面上の文字入力等操作に適し、仰角が小さい状態は動画視聴などの受動的な使用に適している
【００１６】
本考案のスタンドを製造するには、対象とするタブレットの外寸に合わせる必要があるが、弾性力を利用するので多少のサイズ違いは許容し得る。なお、より大きなタブレットでは重量も増すので、安定性確保のため、より太い材料を用いることが推奨される。
【産業上の利用可能性】
【００１７】
廉価に製造でき、上記の課題を解決したスタンドとして利用できる。
【符号の説明】
【００１８】
１    把持部
２    支柱部
３    底辺部
４    タブレット型コンピューター
【図１】
0003197242.tif 000003
【図２】
0003197242.tif 000004
【図３】
0003197242.tif 000005
【図４】
0003197242.tif 000006
【図５】
0003197242.tif 000007
【図６】
0003197242.tif 000008
【図７】
0003197242.tif 000009
【手続補正書】
【提出日】平成27年2月16日(2015.2.16)
【手続補正１】
【補正対象書類名】明細書
【補正対象項目名】０００９
【補正方法】変更
【補正の内容】
【０００９】
実施例は、直径１．５ミリメートルのステンレスばね材丸棒１本を折り曲げて加工し、高さ１３５ミリメートル、幅２００ミリメートル、厚さ７ミリメートルのタブレットに適合するスタンドを製作したものである。
(57)【要約】      （修正有）【課題】ペットがベッドの昇降を容易に行うことができるペット用昇降具を提供する。【解決手段】傾斜部１１と、台部１３と、転倒防止部１５と、ガイド部１７とを有する。傾斜部１１は、ベッド３０の脇に設置可能であり、一端が設置面に置かれ、他端がベッド３０のマット表面付近に位置し、ペットが昇降可能な通路となる。傾斜部１１は、板状である。台部１３は、傾斜部１１の上記他端に隣接し、ベッド３０の高さと略同じ高さに位置し、ペットが載ることができる。転倒防止部１５は、台部１３の載置面側に設けられ、ベッド３０から離れる向きに延在している。【選択図】図１
0003197487.tif 000002
【実用新案登録請求の範囲】
【請求項１】
ペット用の昇降具であって、
ベットの脇に設置可能であり、一端が設置面に置かれ、他端が前記ベットのマット表面付近に位置し、ペットが昇降可能な通路となる傾斜部
を有するペット用昇降具。
【請求項２】
前記傾斜部の前記他端に隣接し、前記ベットの高さと略同じ高さに位置し、前記ペッドが載ることができる台部
をさらに有する請求項1に記載のペット用昇降具。
【請求項３】
前記台部は、前記ベットから離れる向きに延在する転倒防止部材
を有する請求項２に記載のペット用昇降具。
【請求項４】
前記傾斜部の前記ベッドと反対側に設けられ、前記ペッドが前記傾斜部から落下することを防止するためのガイド部を有する
請求項１〜３のいずれかに記載のペット用昇降具。
【請求項５】
前記傾斜部は、板状である
請求項1〜４のいずれかに記載のペット用昇降具。
【考案の詳細な説明】
【技術分野】
【０００１】
本考案は、ベットの脇に設置可能であり、ペッドがベットの昇降をする際に用いられるペット用昇降具に関するものである。
【背景技術】
【０００２】
近年、室内で飼っているペッドが飼い主と同じベッドで寝る場合がある。
このような場合に、ペッドがジャンプ等してベットの昇降をする必要がある。
【考案の概要】
【考案が解決しようとする課題】
【０００３】
しかしながら、上述したようにペットがベットを昇降することが困難な場合がある。特に、ペッドが小さい、高齢化した場合やベッドが高い場合には、特に困難である。
【０００４】
本考案はかかる事情に鑑みてなされたものであり、その目的は、ペットがベットの昇降を容易に行うことができるペット用昇降具を提供することにある。
【課題を解決するための手段】
【０００５】
上述した従来技術の問題を解決し上述した目的を達成するために、本考案のペット用昇降具は、ペット用の昇降具であって、ベットの脇に設置可能であり、一端が設置面に置かれ、他端が前記ベットのマット表面付近に位置し、ペットが昇降可能な通路となる傾斜部を有する。
【０００６】
好適には、本考案のペット用昇降具は、前記傾斜部の前記他端に隣接し、前記ベットの高さと略同じ高さに位置し、前記ペッドが載ることができる台部をさらに有する。
【０００７】
好適には、本考案のペット用昇降具の前記台部は、前記ベットから離れる向きに延在する転倒防止部材を有する。
【０００８】
好適には、本考案のペット用昇降具は、前記傾斜部の前記ベッドと反対側に設けられ、前記ペッドが前記傾斜部から落下することを防止するためのガイド部を有する。
【０００９】
好適には、本考案のペット用昇降具の前記傾斜部は、板状である。
【考案の効果】
【００１０】
本考案によれば、ペットがベットの昇降を容易に行うことができるペット用昇降具を提供できる。
【図面の簡単な説明】
【００１１】
【図１】本考案の第１実施形態のペット用昇降具の構成図である。
【図２】本考案の第２実施形態のペット用昇降具の構成図である。
【考案を実施するための形態】
【００１２】
以下、本考案の実施形態に係るペット用昇降具について説明する。
＜第１実施形態＞
図１は、本考案の第１実施形態のペット用昇降具１の構成図である。
図１に示すように、ペット用昇降具１は、例えば、傾斜部１１と、台部１３と、転倒防止部１５と、ガイド部１７とを有する。
ペット用昇降具１は、ベッド３０の脇に設置される。
【００１３】
傾斜部１１は、ベット３０の脇に設置可能であり、一端が設置面に置かれ、他端がベット３０のマット３３表面付近に位置し、ペットが昇降可能な通路となる。傾斜部１１は、板状である。
【００１４】
台部１３は、傾斜部１１の上記他端に隣接し、ベット３０の高さと略同じ高さに位置し、ペッドが載ることができる。
【００１５】
転倒防止部１５は、台部１３の載置面側に設けられ、ベット３０から離れる向きに延在している。
【００１６】
ガイド部１７は、傾斜部１１のベット３０と反対側に設けられ、ペッドが傾斜部１１から落下することを防止する。
【００１７】
ペット用昇降具１は、例えば、傾斜部１１と、台部１３と、転倒防止部１５と、ガイド部１７とを分離可能であり、販売時には分離された状態で箱等に収容されている。
【００１８】
ペット用昇降具１では、猫や犬なのでの小動物がベット３０に昇る際に、ベット３０の設置面である床から傾斜部１１を昇って台部１３に達し、その後、横向きに歩いてベット３０に移動する。
【００１９】
一方、ペット用昇降具１では、上記小動物がベット３０から床に降りる際に、ベット３０から台部１３に移動し、その後、傾斜部１１を床まで歩いて降りる。
【００２０】
以上説明したように、ペット用昇降具１によれば、ペットがベットの昇降を容易に行うことができる。特に、小型ペットや高齢ペットに有用である。
また、ペット用昇降具１によれば、転倒防止部１５があるため、傾斜部１１が転倒することを防止できる。
【００２１】
また、ペット用昇降具１によれば、ガイド部１７があるため、ペットが傾斜部１１を移動中に落下することを防止できる。
【００２２】
＜第２実施形態＞
図２は、本考案の第２実施形態のペット用昇降具１０１の構成図である。
図２に示すペット用昇降具１０１は、図１のペット用昇降具１とガイド部１７がない点を除いて同一である。
【００２３】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２４】
上述した実施形態では、本考案の傾斜部として板を例示したが、傾斜部は階段状でもよい。
【産業上の利用可能性】
【００２５】
本考案は、ペット用具に適用可能である。
【符号の説明】
【００２６】
１，１０１…ペット用昇降具
１１…傾斜部
１３…台部
１５…転倒防止部
１７…ガイド部
【図１】
0003197487.tif 000003
【図２】
0003197487.tif 000004
(57)【要約】      （修正有）【課題】防水効果そして引裂強さに優れた紙で作られた箱に、金具の番号式南京錠を取り付け、金庫のような保管箱にすることにより、他人に見られたくない思い出の手紙や写真等を大切に保管でき、生前の遺言などにより火葬の際にこの金庫を共に納めることにより、生涯自分だけの思い出を守る保管箱を提供する。【解決手段】自分だけの大切な物を保管し、人生の最後には一緒に火葬できる保管箱１として、引裂強さに優れた紙に、防水効果のある紙を覆うことで作られた箱に、金具の番号式南京錠４を取り付けことにより、日常では箱の中身が守られるが、最終的には火葬できることを特徴とする。【選択図】図１
0003197438.tif 000002
【実用新案登録請求の範囲】
【請求項１】
大切な物を保管する、または取られないようにする金庫は、本来なら燃えてはならない物。しかし、この金庫は逆転の発想による、燃えることに意味をもつ金庫。
【請求項２】
この金庫は主に、自分だけの思い出の燃やせる品を生涯人の目に触れることなく、自身と共に火葬される箱。
【請求項３】
引裂強さに優れた紙に、防水効果のある銀の紙を覆うことで作られた箱に、金具の番号式南京錠を取り付ける。
【考案の詳細な説明】
【技術分野】
【０００１】  本考案は、防水効果そして引裂強さに優れた紙で作られた箱に、金具の番号式南京錠を取り付け、金庫のような保管箱に関するものである。
【背景技術】
【０００２】  家族にも知られたくはない思い出の手紙や写真等を実家に置いていたり、自宅に置いていた場合、引越し時に捨てられたり、家族に見られてしまう恐れがあった。
【考案の概要】
【考案が解決しようとする課題】
【０００３】  自宅に置いていない場合は、紛失または捨てられてしまう恐れ、また自宅に置いていた場合でも、万が一不慮の事故よりその物を手に取ることが不可能になってしまった場合、その物の行方の心配、またその時に備え家族にその物について告げていたとしても、その物が見られてしまう恐れがある。その不安を解決するものである。
【課題を解決するための手段】
【０００４】  本考案は、防水効果そして引裂強さに優れた紙で作られた箱に、金具の番号式南京錠を取り付けることにより、その箱が金庫のように大切な箱として扱われ、簡単に捨てられたり中身が見られたりしないようにする。
【考案の効果】
【０００５】  本考案の箱により、生前その箱の存在を家族に告げやすくなり、万が一の場合でも中身が見られず自身の希望する処分方法にしてもらえる。紙で出来ているので一緒に火葬することもできる。（火葬後南京錠のみ残る。）
【図面の簡単な説明】
【０００６】
【図１】  本考案の燃える金庫！？メモリアルＢＯＸの一実施例を示す正面図である。
【符号の説明】
【０００７】      １  箱本体
２  開閉部分
３  鍵穴
４  鍵
【図１】
0003197438.tif 000003
【手続補正書】
【提出日】平成27年1月15日(2015.1.15)
【手続補正１】
【補正対象書類名】実用新案登録請求の範囲
【補正対象項目名】全文
【補正方法】変更
【補正の内容】
【実用新案登録請求の範囲】
【請求項１】
自分だけの大切な物を保管し、人生の最後には一緒に火葬できる保管箱として、引裂強さに優れた紙に、防水効果のある紙を覆うことで作られた箱に、金具の番号式南京錠を取り付けことにより、日常では箱の中身が守られるが、最終的には火葬できる保管箱。
(57)【要約】【課題】  例えば多血小板血漿を調製するための血液を、所定の温度に保持し、かつ、物理的な衝撃から保護して輸送するためのセットを提供すること。【解決手段】  断熱容器と、上蓋と下蓋からなるプラスチック容器のそれぞれの蓋の開口縁部に樹脂シートが張られていて蓋を閉めることによって血液を充填したシリンジが樹脂シートに挟み込まれて保持される構造を有するケースと、血液を充填したシリンジを収容したケースを断熱容器に収納した際にケースが断熱容器内で固定されるようにする緩衝材と、断熱容器内で血液を充填したシリンジを収容したケースの上に載置する蓄冷材を少なくとも含むことを特徴とする。【選択図】  図１
0003197426.tif 000002
【実用新案登録請求の範囲】
【請求項１】
断熱容器と、上蓋と下蓋からなるプラスチック容器のそれぞれの蓋の開口縁部に樹脂シートが張られていて蓋を閉めることによって血液を充填したシリンジが樹脂シートに挟み込まれて保持される構造を有するケースと、血液を充填したシリンジを収容したケースを断熱容器に収納した際にケースが断熱容器内で固定されるようにする緩衝材と、断熱容器内で血液を充填したシリンジを収容したケースの上に載置する蓄冷材を少なくとも含むことを特徴とする血液輸送用セット。
【考案の詳細な説明】
【技術分野】
【０００１】
本考案は、例えば多血小板血漿を調製するための血液を輸送するためのセットに関する。
【背景技術】
【０００２】
多血小板血漿（Ｐｌａｔｅｌｅｔ  Ｒｉｃｈ  Ｐｌａｓｍａ：以下「ＰＲＰ」と略称する）は、血液中に含まれる３種類の血球（赤血球、白血球、血小板）のうちの血小板のみを高濃度に濃縮させたものであり、細胞の再生を促す種々の成分が含まれていることから、骨、血管、皮膚などの再生促進機能を有することが知られており、難治性皮膚潰瘍などの治療に用いられている。ＰＲＰの調製は、例えば、ＰＲＰを適用する患者から採血した血液を遠心分離することで行われるが、ＰＲＰを適用する患者から採血する場所と採血した血液を遠心分離する場所が異なる場合、血液を輸送する必要がある。血液を所定の温度（０〜５℃）に保持して輸送するためには、例えば特許文献１に記載されている断熱容器を用いることが望ましいが、断熱容器に収納した血液は、物理的な衝撃から保護される必要がある。
【先行技術文献】
【特許文献】
【０００３】
【特許文献１】登録実用新案第３１６２４９２号公報
【考案の概要】
【考案が解決しようとする課題】
【０００４】
そこで本考案は、例えば多血小板血漿を調製するための血液を、所定の温度に保持し、かつ、物理的な衝撃から保護して輸送するためのセットを提供することを目的とする。
【課題を解決するための手段】
【０００５】
上記の点に鑑みてなされた本考案の血液輸送用セットは、請求項１記載の通り、断熱容器と、上蓋と下蓋からなるプラスチック容器のそれぞれの蓋の開口縁部に樹脂シートが張られていて蓋を閉めることによって血液を充填したシリンジが樹脂シートに挟み込まれて保持される構造を有するケースと、血液を充填したシリンジを収容したケースを断熱容器に収納した際にケースが断熱容器内で固定されるようにする緩衝材と、断熱容器内で血液を充填したシリンジを収容したケースの上に載置する蓄冷材を少なくとも含むことを特徴とするものである。
【考案の効果】
【０００６】
本考案によれば、例えば多血小板血漿を調製するための血液を、所定の温度に保持し、かつ、物理的な衝撃から保護して輸送するためのセットを提供することができる。
【図面の簡単な説明】
【０００７】
【図１】本考案の血液輸送用セットにおける、上蓋と下蓋からなるプラスチック容器のそれぞれの蓋の開口縁部に樹脂シートが張られていて蓋を閉めることによって血液を充填したシリンジが樹脂シートに挟み込まれて保持される構造を有するケースの一例を模式的に示す図（血液を充填したシリンジを収容する際の図）である。
【考案を実施するための形態】
【０００８】
本考案の血液輸送用セットは、断熱容器と、上蓋と下蓋からなるプラスチック容器のそれぞれの蓋の開口縁部に樹脂シートが張られていて蓋を閉めることによって血液を充填したシリンジが樹脂シートに挟み込まれて保持される構造を有するケースと、血液を充填したシリンジを収容したケースを断熱容器に収納した際にケースが断熱容器内で固定されるようにする緩衝材と、断熱容器内で血液を充填したシリンジを収容したケースの上に載置する蓄冷材を少なくとも含むことを特徴とするものである。以下、本考案の血液輸送用セットの一実施態様を説明するが、本考案の血液輸送用セットは以下の記載に限定して解釈されるものではない。
【０００９】
本考案の血液輸送用セットにおいて、断熱容器は、特許文献１に記載されているような断熱性を有する容器であれば特段の制限はない。上蓋と下蓋からなるプラスチック容器のそれぞれの蓋の開口縁部に樹脂シートが張られていて蓋を閉めることによって血液を充填したシリンジが樹脂シートに挟み込まれて保持される構造を有するケースは、例えば図１に模式的に示す構成からなるものであり、透明で収容物を外から確認することができるタニムラ株式会社のフィルムパックケースなどを用いることができる。血液を充填したシリンジを収容したケースを断熱容器に収納した際にケースが断熱容器内で固定されるようにする緩衝材は、例えば発泡樹脂からなる立方体形状のものであってよい。断熱容器内で血液を充填したシリンジを収容したケースの上に載置する蓄冷材としては、ロゴス（ＬＯＧＯＳ）アイススタックパックなどの市販のものが挙げられる。
【００１０】
本考案の血液輸送用セットは、患者から採血した血液を充填したシリンジを収容したケースを断熱容器に収納した後、ケースが断熱容器内で固定されるように緩衝材を１個ないし複数個配置するとともに、ケースの上に冷やした蓄冷材を載置して用いることで、血液を所定の温度に保持し、かつ、物理的な衝撃から保護して輸送することができる。
【産業上の利用可能性】
【００１１】
本考案は、例えば多血小板血漿を調製するための血液を、所定の温度に保持し、かつ、物理的な衝撃から保護して輸送するためのセットを提供することができる点において産業上の利用可能性を有する。
【図１】
0003197426.tif 000003
(57)【要約】      （修正有）【課題】装飾部の外周が透明な外筒で保護された装飾印材であって、装飾部が繊細な立体的なものであっても、封止樹脂の浸透湿潤で風合いを損なうことがなく、素材そのままの状態を保持して装飾できる装飾印材を提供する。【解決手段】透明な外筒１と内方の心材２との間に空隙３を形成し、芯材の表面に形成される装飾部４は表面に凹凸模様５を有し、凹凸模様の頂部５Ａが外筒の内面より離間するようにした。印材の外周に凹凸のある装飾を施すに当たり、凹凸模様の立体感を封入樹脂浸潤により、流れたり、圧迫されたり、変色したりすることなく、自然な風合いそのままに豪華に装飾することができる。【選択図】図１
0003197425.tif 000002
【実用新案登録請求の範囲】
【請求項１】
透明な外筒１と内方の心材２との間に空隙３を形成し、芯材３の表面に形成される装飾部４は表面に凹凸模様５を有し、その凹凸の頂部５Ａが外筒１の内面より離間するようにした装飾印材。
【請求項２】
装飾部４が縮緬である請求項１に記載の装飾印材。
【請求項３】
装飾部４が金襴である請求項１に記載の装飾印材。
【請求項４】
装飾部４が装飾紙である請求項１に記載の装飾印材。
【考案の詳細な説明】
【技術分野】
【０００１】
本考案は、外周を立体的な模様で装飾された装飾印材に関するものである。
【背景技術】
【０００２】
従来より、芯材の表面に模様シートを装着し、その外周を透明な外筒で覆い、模様シートの磨滅を防止するものが古くから知られている。しかしながら、芯材と外筒との間の隙間には透明樹脂が注入されたものであったり、心材自体を樹脂の注入により形成したりしていたので、いずれの場合も樹脂が模様シートに浸透するものであるため、模様は表面から心材方向に圧迫され、模様表面のふわっとした立体感は、いわば濡れた布をアイロンで押し付けたような状態となってしまうため、折角の立体感が阻害される欠点は否めなかった。
【特許文献１】特許第３６３０６６０号公報
【特許文献２】特許第４４４８４５９号公報
【考案の開示】
【考案が解決しようとする課題】
【０００３】
本考案は、しぼや縦横の織り糸で立体感を持つ布や、エンボス模様を表面に持つ模様シートであっても、その表面の立体感を阻害することなく保護して豪華に装飾できる印材を提供しようとするものである。
【課題を解決するための手段】
【０００４】
本考案の主たる特徴は、透明な外筒１と内方の心材２との間に空隙３を形成し、芯材３の表面に装着される装飾部４は表面に凹凸模様５を有し、その凹凸の頂部５Ａが外筒１の内面より離間するようにしたことであり、第２には、装飾部４が縮緬としたことであり、第３には装飾部４が金襴としたことであり、第４には装飾部４が装飾が施された和紙を含む紙素材としたことである。
【考案の効果】
【０００５】
本考案にあっては上述のようにしたから、装飾部４は、立体感を保ったままの状態で空隙３に封印され、装飾部４の表面の凹凸模様５が何ら樹脂浸透や圧迫により変形されず、元のままの優雅な装飾性を発揮できる大きな効果がある。
【０００６】
そして、装飾部４が縮緬であれば、樹脂が含浸されると、凹凸模様５が平準化されると共に濡れた状態になるため、しぼの持つ凹凸感が阻害されるが、本考案では縮緬地特有の風合いを保って装飾できるものであり、また装飾部４が金襴の場合は、太い金糸、銀糸が織り成す凹凸模様５が表現されるものであるが、その場合でも、樹脂の含浸による阻害はなく、金襴本来の優雅な凹凸を損なうことなく、豪華な装飾性を発揮できる。更に装飾部４が手漉き和紙のように素材自体が凹凸を有するものは勿論、西洋紙に平面的又はエンボス印刷をしたもの、写真印刷物であっても、樹脂の浸透による変形や変色の惧れがなく、素材の持つ風合いを保って配することができる。
【０００７】
また、樹脂の流し込みに拠らずに心材２を形成できるので、製造も容易となり、外筒１も底がないものでも使用できるため、印面形成なども制約が少なくなり、バリエーションの幅が広がる効果もある。
【考案を実施するための最良の形態】
【０００８】
図１は本考案の一実施例の概略を示すもので、透明素材、例えばアクリル樹脂やガラス、水晶材の外筒１の内周に心材２を所定の間隙３を隔てて内装したものであり、心材２の表面には装飾部４が施されている。
【０００９】
装飾部４は立体的な凹凸模様５を有するものであるが、その凹凸の頂部５Ａは外筒１の内面に接触せず、離間するようにしたものである。
【００１０】
装飾部４の具体例として、縮緬地、金襴、手漉き和紙等が主なものであるが、それ以外にも通常の布、素材に立体感、立体模様を有するものであれば、任意に選定できることは勿論である。また、円筒以外に四角や他の多角形等、任意である。また、布や紙のように心材２の全面を覆うシート状のもが好ましいが、ちぎり絵や、部分的な植毛のように部分的なものでも構わない。
【００１１】
更に、外筒１は有底でなくても構わない。印面８は外筒１の底６自体を流用しても良いし、別体でも構わない。印面８は彫ったり流し成形のインクを含まないもので良いし、発泡体にインクを含浸させたスタンプ不要タイプでも構わない。
【００１２】
蓋７はねじ込みや接着又はその併用等により頭部に装着されるが、外筒１の外周を位置決めする外周穴７Ａと、心材２を位置決めする内周穴７Ｂを施し、間隙３が全周で均一となるようにしてある。
【００１３】
図２は本考案印材の素材の加工前の分離した状態を示すもので、装飾部４が縮緬のようなシート状のものであれば、糊、接着剤、両面テープ、転写等で心材２の表面に貼り付け、それを外筒１の中に収納し、開口を蓋７で覆うもので、この時、外筒１の内周と心材２の外周との間には間隙３が形成され、しかもその場合、装飾部４の凹凸模様５の頂部５Ａが実質的に外筒１の内周に接触せず、離間するように設定されるのである。
【００１４】
従って、繊維が繊細に表現している立体的な模様は、液や樹脂の湿潤による変形を受けることなく、ありのままの状態で、間隙３に封止保持されるものであって、自然の優雅な風合いを損なうことなくそのまま装飾に呈されるものである。
【産業上の利用可能性】
【００１５】
本考案は、いわば印木部に模様を有する印材であり、高級感のある優雅な通常の実印や銀行印、認印等の印鑑の他、業務用の印鑑や、スタンプインクを含浸した印鑑にも適用できる。
【図面の簡単な説明】
【００１６】
【図１】本考案の一実施例の概略断面図。
【図２】同上の作成前の構成要素の分解斜視図。
【符号の説明】
【００１７】
１は外筒、２は心材、３は空隙、４は装飾部、５は凹凸模様、５Ａは頂部。
【図１】
0003197425.tif 000003
【図２】
0003197425.tif 000004
(57)【要約】      （修正有）【課題】縁から尿が溢れ出ることを阻止できるポータブルトイレ用受尿カップを提供する。【解決手段】ポータブルトイレの受尿カップ１の縁を内側に折り曲げて返し縁４をつける。尿が受尿カップの縁を越えて溢れ出ることを防ぎ、チューブ２を通してタンク３に貯めることができる。【選択図】図１
0003197465.tif 000002
【実用新案登録請求の範囲】
【請求項１】
ホータブルトイレの受尿カップの縁を内側に折り曲げた返し縁つきの受尿カップ。
【考案の詳細な説明】
【技術分野】
【００１】受尿カップに入れた尿をチューブを介してタンクに貯める方式のポータブルトイレの受尿カップの縁から尿が溢れ出る危険があるので、本案は受尿カップの縁を内側に折り曲げた返し縁をつけて尿が縁から溢れ出ることを防ぐ考案である。
【背景技術】
【００２】  尿を受尿カップからチューブを通してタンクに貯める方式のポータブルトイレの受尿カップは尿の流量が多いと受尿カップの縁から尿が溢れる危険がある。この点を解消するために受尿カップの縁を内側に折り曲げた返し縁をつけた。この考案により尿が受尿カップの縁から溢れずにチューブを通してタンクに貯めることができる。
【考案が解決しようとする課題】
【００３】ポータブルトイレの受尿カップの縁から尿が溢れ出ないようにすることが本案の課題である。
【課題を解決するための手段】
【００４】ポータブルトイレの受尿カップの縁から尿が溢れ出ないようにするために受尿カップの縁を内側に折り曲げた返し縁をつけた。
【考案の効果】
【００５】ポータプルトイレの受尿カップの縁が内側に折り曲げられた返し縁により受尿カップから溢れ出ようとする尿が阻止されるので尿が受尿カップから溢れ出なくなった。
【考案を実施するための最良の形態】
【００６】受尿カップの縁を内側に折り曲げて尿が受尿カップの縁を越えて溢れ出ないようにする返し縁をつける。
【実施例】
【００７】図１は受尿カップ符号▲１▼とタンク符号▲３▼がチューブ符号▲２▼で連結されてたポータブルトイレである。この受尿カップ符号▲１▼の縁は内側に折り曲げられた返し縁符号▲４▼がつけられているので尿が受尿カップ符号▲１▼の縁を越えて溢れ出ることを阻止できる。
【図面の簡単な説明】
【図１】ポータブルトイレの側面図
【符号の説明】
【００８】１  受尿カップ
２  チューブ
３  タンク
４  返し縁
【図１】
0003197465.tif 000003
(57)【要約】      （修正有）【課題】収穫直後のモズクを熱湯で湯がいて緑色に変色させてそのまま１〜２日放置しておくと、元の茶褐色に戻る性質がある。この緑色に変色したモズクを元の茶褐色に戻らないように加工する加工モズクを提供する。【解決手段】収穫直後のモズクを熱湯で湯がくと緑色に変色するが、この緑色に変色したモズクのまま保存する為には、熱湯で湯がいて緑色に変色したモズクを弱酸性の水溶液に漬けると、緑色のままで変色せずに保存する事ができる。【選択図】図３
0003197445.tif 000002
【実用新案登録請求の範囲】
【請求項１】
茶褐色をした収穫直後のモズクを熱湯で湯がいて緑色に変色させ弱酸性の水溶液に浸し、各種容器に充填した事を特徴とする加工モズク。
【請求項２】
茶褐色をした収穫直後のモズクを熱湯で湯がいて緑色に変色させ、このモズクを乾燥し各種容器に充填した事を特徴とする加工モズク。
【考案の詳細な説明】
【技術分野】
【０００１】本考案は茶褐色のモズクを緑色に変色加工する考案である。
【背景技術】
【０００２】海藻には緑藻．褐藻．紅藻等の種類があるが、モズクは褐藻類に属し、昆布．若布．ひじきと同様食材に使用されている。【０００３】褐藻類のモズクは、主に太平洋のミネラルの豊富な沖縄県の内海で養殖され、毎年３月から６月にかけて収穫し、主に酢の物に加工され消費者に提供される。【０００４】モズクの茎はヌルヌルした成分で覆われており、このヌルヌルした茎に食物繊維やその他の成分が含まれている。【０００５】モズクの食物繊維には、ビタミン．ミネラル，カルシウム．鉄分．ヨウ素等を含有しているが、食物繊維には抗菌作用のあるフコイダンを含有し、このモズクに含まれているフコイダンは、他の海藻の昆布や若布より５〜６倍も多く含有している。【０００６】  モズクの粉末に含有しているフコイダンの含有量を、財団法人日本食品分析センターに分析を依頼した結果、粉末１００グラム中フコイダンの成分に含有しているフコースは、２４．２グラム含有していると分析されている。【０００７】褐藻類の昆布．若布．モズク等を収穫して、すぐに熱湯で湯がくと緑色に変色する。この昆布や若布．モズク等が緑色に変色するのは、褐藻に含有している色素のフコキサンチンが熱で破壊され、緑の色素であるクロロフイルは壊れずに、そのままの色素が残っているので緑色に変色する。【０００８】緑色に変色した昆布や若芽を塩蔵にて保存すると元の褐色に変色している。この昆布や若芽を料理に使用する際、再度熱湯で湯がくと緑色に変色する。【０００９】収穫直後のモズクも同様に熱湯で湯がくと茶褐色から緑色に変色する。しかし緑色に変色したモズクを１〜２日そのまま放置しておくと、緑色の色素が次第に薄れ、元の茶褐色に戻る性質がある。【００１０】消費者は生のモズクを酢の物料理に加工して食しているが、昆布や若布は熱湯で湯がいて緑色に変色させてから各種の料理に使用する。しかし収穫後１〜２日経過したモズクを熱湯で湯がいても、若干緑色に変色するがすぐに元の茶褐色に戻る。【００１１】考案者は茶褐色をした収穫直後のモズクを熱湯で湯がいて緑色に変色させ、更に緑色に変色したモズクを弱酸性の溶液等に浸して、緑色に変色したモズクが元の茶褐色に戻らないように加工する方法を考案した。
【先行技術文献】
【特許文献】
【００１２】
【特許文献１】平成１７年１１月７日特許第３７３５８３９号公報  乾燥モズクの製造方法  （平成２０年１１月特許失効）
【非特許文献】
【００１３】
【非特許文献１】財団法人日本食品分析センター分析試験成績書、平成１４年１２月２０日、第４０２１２０１１７−００１号
【非特許文献２】財団法人沖縄県環境科学分析センター分析試験成績書  平成１７年６月２１日第２００５‐Ｂ００９２１−０１号
【考案の概要】
【考案が解決しようとする課題】
【００１４】収穫直後のモズクを熱湯で湯がいて緑色に変色させてそのまま１〜２日放置しておくと、元の茶褐色に戻る性質がある。この緑色に変色したモズクを元の茶褐色に戻らないように加工する方法に課題があった。【００１５】
【課題を解決する手段】
【００１６】収穫直後のモズクを熱湯で湯がくと緑色に変色するが、この緑色に変色したモズクのまま保存する為には、熱湯で湯がいて緑色に変色したモズクを弱酸性の水溶液に漬けると、緑色のままで変色せずに保存する事ができる。
【考案の効果】
【００１７】茶褐色のモズクを緑色に変色すると各種の食材に使用され、これまで以上にモズクの利用価値が高まる。それに伴ないモズクの食物繊維に含有する抗菌作用のあるフコイダンを一緒に料理し、消費者は知らず知らずのうちにフコイダンを摂取して、胃腸を丈夫にするとともに免疫力を高める効果がある。
【００１８】モズクを熱湯で湯がくと、モズク特有の海藻の匂いが消え、更にモズクのぬめりは舌触りが良くなり、美味しい食材に加工される。
【００１９】
【図面の簡単な説明】
【００２０】
【図１】図１は、収穫直後のモズクの図面代用写真である。（図面１）
【図２】図２は、熱湯に浸して緑に変色したモズクの図面代用写真である。（図面２）
【図３】図３は、緑色に変色したモズクを弱酸性溶液に浸した図面代用写真である。（図面３）
【考案を実施する為の形態】
【００２１】茶褐色をした収穫直後のモズクを熱湯に湯がくと緑色に変色する。
【実施例１】
【００２２】図１の実施例は、収穫直後の茶褐色をしたである。【００２３】図２の実施例は、茶褐色をしたモズクを熱湯に浸して緑色に変色したモズクである。【００２４】図３の実施例は、緑色に変色したモズクを弱酸性溶液に浸し変色を防止したモズクである。
【産業上の利用可能性】
【００２５】モズクは茶褐色をした直径１〜２ミリの細長い海藻で、このモズクを食酢や塩分と混合すると、茎からからぬるぬるした成分が溶け出す。またモズクのぬるぬるした成分には、食物繊維の他に抗菌作用のあるフコイダンを豊富に含有している。【００２６】モズクのフコイダンには胃や腸を丈夫にして免疫力を高める作用がある。消費者はフコイダンを摂取する事により、胃腸を丈夫にして免疫力を高め病気を予防する効果が大である。【００２７】同じ褐藻類の若芽や昆布は熱湯で湯がくと緑色に変色し、食欲をそそる食材であるのに対し、モズクは茶褐色又は黒褐色をした海藻である。このモズクを緑色に変色させ、消費者に喜ばれるモズクを提供する。【００２８】緑色に変色したモズクを乾燥すると茶褐色に変色するが、料理する際に熱湯で湯がくと緑色に変色し、新たな食材に利用する事ができる。【００２９】消費者はモズクを酢の物に料理して食しているが、モズクは酢の物以外に料理される事が少ない海藻である。この茶褐色をしたモズクを熱湯で湯がいて緑色に変色させると、昆布や若布と同様、貴重な海藻として扱われる。【００３０】
【符号の説明】
【００３１】１  写真１は、収穫直後のモズク。
２  写真２は、収穫直後のモズクを熱湯で湯がいて緑色に変色させたモズク。
３  写真３は、緑色に変色したモズクを弱酸性の溶液に浸して変色を防止したモズク。
【図１】
0003197445.tif 000003
【図２】
0003197445.tif 000004
【図３】
0003197445.tif 000005